(57)【要約】【課題】効果的な槽洗浄を行うことが可能な全自動洗濯機を提供する。【解決手段】外槽と、この外槽内に回転自在に設置された洗濯兼脱水槽を備え、洗い工程、すすぎ工程、脱水工程の一連の行程を含む洗濯コースを行うと共に、この洗濯コースとは別に槽洗浄用の洗剤を利用して槽を洗浄する槽洗浄コースを行う全自動洗濯機において、前記槽洗浄コースのときに前記洗濯兼脱水槽に取り付けられ、前記洗濯兼脱水槽内に水の入らない空間を形成する槽洗浄補助具を設けた。【選択図】  図６
2016022285.tif 000002
【特許請求の範囲】
【請求項１】
外槽と、この外槽内に回転自在に設置された洗濯兼脱水槽を備え、洗い工程、すすぎ工程、脱水工程の一連の行程を含む洗濯コースを行うと共に、この洗濯コースとは別に槽洗浄用の洗剤を利用して槽を洗浄する槽洗浄コースを行う全自動洗濯機において、
前記槽洗浄コースのときに前記洗濯兼脱水槽に取り付けられ、前記洗濯兼脱水槽内に水の入らない空間を形成する槽洗浄補助具を有することを特徴とする全自動洗濯機。
【請求項２】
請求項１において、前記槽洗浄補助具は、開口部を有する略円筒状の付属品であり、前記槽洗浄コースのときに、前記開口部を下側にして前記洗濯兼脱水槽に係止させて取り付けられることを特徴とする全自動洗濯機。
【発明の詳細な説明】
【技術分野】
【０００１】
本発明は、全自動洗濯機に関するものである。  
【背景技術】
【０００２】
従来の全自動洗濯機では、洗い工程、すすぎ工程、最終脱水工程などの一連の工程を全自動コースとして設定しておき、使用者がその全自動コースを選択する。洗濯機は選択された全自動コースで動作される。使用しているうちに洗剤かすなどにより、槽内が汚れた場合には、槽洗浄剤を入れて効果的に槽内を洗浄するための専用の槽洗浄コースを設けたものもある。例えば、特許文献１のように、槽洗浄コースでは一般的に高い水位を設定し、長時間の漬け置き動作を含んだ工程動作が実施される。
【先行技術文献】
【特許文献】
【０００３】
【特許文献１】特開２０１１−３１８号公報
【発明の概要】
【発明が解決しようとする課題】
【０００４】
従来の全自動洗濯機では、槽洗浄のための専用のコースを実行する場合、槽の上部まで効果的に槽洗浄剤を行き渡らせるために、通常より高い水位まで給水を行う。このため、槽洗浄を行うときの水量は多く必要で、水量が多いため槽洗浄剤は濃度を確保するために多量に投入する必要があった。
【０００５】
本発明の目的は、効果的な槽洗浄を行うことが可能な全自動洗濯機を提供することにある。
【課題を解決するための手段】
【０００６】
上記従来の課題を解決するため、本発明では、外槽と、この外槽内に回転自在に設置された洗濯兼脱水槽を備え、洗い工程、すすぎ工程、脱水工程の一連の行程を含む洗濯コースを行うと共に、この洗濯コースとは別に槽洗浄用の洗剤を利用して槽を洗浄する槽洗浄コースを行う全自動洗濯機において、前記槽洗浄コースのときに前記洗濯兼脱水槽に取り付けられ、前記洗濯兼脱水槽内に水の入らない空間を形成する槽洗浄補助具を設けた。
【発明の効果】
【０００７】
本発明によれば、槽洗浄コースを実行するときに、付属部品である槽洗浄補助具を洗濯兼脱水槽に取り付けた状態とするため、高い水位まで給水しても、付属部品の内部には水がほとんど入らず、使用水量を少なくできる。このように槽洗浄コース時の使用水量を少なくできるため、槽洗浄剤を増やさなくても濃い濃度により強力な槽洗浄が行える。逆に、槽洗剤量を減らしても、通常の濃度で従来並みの槽洗浄を行うこともできる。
【図面の簡単な説明】
【０００８】
【図１】本発明の実施例における全自動洗濯機のブロック図である。
【図２】本発明の実施例における全自動洗濯機の縦断面図である。
【図３】本発明の実施例における全自動洗濯機の操作パネルを示す図である。
【図４】本発明の実施例における全自動洗濯機の槽洗浄コース動作フローを示す図である。
【図５】本発明の実施例における全自動洗濯機の槽洗浄補助具の構造を示す図である。
【図６】本発明の実施例における槽洗浄補助具を取り付けた状態を示す図である。
【発明を実施するための形態】
【０００９】
以下、実施例を図面を用いて説明する。
【００１０】
図１は本実施例の全自動洗濯機の制御手段のブロック図である。全自動洗濯機はマイクロコンピュータ２０により制御され、使用者の操作スイッチ３０の入力により、負荷駆動手段２９を介して、給水弁２１、ソフト仕上げ剤弁２２、洗剤溶かし弁２３、冷却水弁２４、排水弁２５、メインモータ２６、クラッチ２７、フタロック２８などを駆動させて洗濯動作を行なう。
【００１１】
また水位センサ３１による水位監視、フタ開閉センサ３３により洗濯機のフタ開閉状態を監視も行なっている。商用電源３９からは電源回路３７によりマイクロコンピュータ２０および負荷駆動手段２９の制御電源、センサなどへの制御電源として供給される。
【００１２】
図２は同全自動洗濯機の縦断面図である。
【００１３】
図２において、１は全自動洗濯機の本体である。本体１内には外槽２がつり棒などにより弾性支持されている。外槽２内に洗濯兼脱水槽３が収納され、メインモータ６の回転をクラッチ機構１１を介して洗濯兼脱水槽３ないし撹拌翼４を伝達される。
【００１４】
外槽２には、給水ホース１５から給水弁１２およびソフト仕上げ剤弁１３を介して水道水が供給される。外槽に溜まった水は、排水弁６を排水弁駆動用モータ９により動作させ、排水ホース７を介して排水口８に排出できるようになっている。
【００１５】
本体１の下部にはメインモータ５の駆動や排水弁駆動モータ９、給水弁１２、ソフト仕上げ剤弁１３、クラッチ機構１１などを制御する制御基板１０が内装されている。また、本体１の上部前面に、使用者の全自動コース設定や洗い工程、すすぎ工程などの運転動作設定を変更したり、運転状況を使用者に知らせたりするための操作パネル１４が設置されている。
【００１６】
図３は全自動洗濯機の操作パネルの一例である。操作パネル４０には、使用者が運転状態や動作設定内容を知らせる表示装置と、動作設定内容を変更するための入力装置がある。例では使用者の設定した水量表示手段５４、洗い時間設定表示手段５５、すすぎ回数設定表示手段５６、脱水時間設定表示手段５７がある。また、全自動コースの設定表示手段５３がある。また使用者が水量を変更したい場合の水量設定入力手段４９、洗い時間を変更したい場合の洗い時間設定入力手段４８、すすぎ回数を設定したい場合のすすぎ回数設定入力手段４７、脱水時間を変更したい場合の脱水時間設定入力手段４５、全自動コースを選択するためのコース設定入力手段５２、設定した運転内容で動作を開始、中断するためのスタート/一時停止入力手段５１がある。
【００１７】
洗いやすすぎで外槽２に水を溜める時には、排水弁駆動用モータ９を駆動して排水弁６を閉め、給水弁１２により水道水を給水する。洗いやすすぎで撹拌を行うときには、クラッチ機構１１で洗濯兼脱水槽３を固定して、撹拌翼４に回転力が伝達されるようにして、メインモータ５により正逆回転させて洗濯兼脱水槽３に投入された洗濯物を撹拌させる。外槽２に溜まった水を排水するときには、排水弁駆動用モータ９を駆動して排水弁６を開き、排水ホース７を介して排水口８より排水される。脱水するときには、クラッチ機構１１で洗濯兼脱水槽３と撹拌翼４を固定して、洗濯兼脱水槽３に回転力が伝達されるようにし、メインモータ５により高速回転させて洗濯兼脱水槽３に投入された洗濯物を脱水させる。
【００１８】
図4は本実施例の全自動洗濯機の槽洗浄コース動作フローの一例である。
【００１９】
運転動作を開始したとき、Ｓ１1で槽の上部まで給水動作を行なう。Ｓ１２では撹拌翼４を回転させて撹拌動作を行なう。Ｓ１４では槽洗浄剤による漬け置き動作を行う。
【００２０】
次にＳ２１で洗濯水を排水するために排水動作を行なう。排水動作が終了したら、Ｓ２２で洗濯兼脱水槽３を高速回転させてすすぎ脱水動作を行なう。脱水動作が終了したらＳ２３で排水弁６を閉めて洗濯兼脱水槽３に規定水位までの給水動作を行なう。給水動作が完了したらＳ２４で撹拌翼４を回転させてすすぎ撹拌動作を行なう。
【００２１】
すすぎ撹拌動作が終了したら、Ｓ３１ですすぎ水を排水するために排水動作を行なう。排水動作が終了したら、Ｓ３２で洗濯兼脱水槽３を高速回転させてすすぎ脱水動作を行なう。脱水動作が終了したらＳ３３で排水弁６を閉めて洗濯兼脱水槽３に規定水位までの給水動作を行なう。給水動作が完了したらＳ３４で撹拌翼４を回転させてすすぎ撹拌動作を行なう。この例ではすすぎの排水-脱水-給水-撹拌の一連の動作を２回行なっているが、１回や３回以上の場合もありうる。
【００２２】
最終のすすぎ撹拌が終了したら、Ｓ４０ですすぎ水を排水するために最終脱水排水動作を行なう。最終脱水排水動作が終了したら、Ｓ４１で洗濯兼脱水槽３を高速回転させて最終脱水動作を行なう。最終脱水が正常に終了したら運転終了して電源を切る。
【００２３】
図５は本実施例の槽洗浄コース用の付属品である槽洗浄補助具１００の例である。バケツのように略円筒形で下部に、洗濯兼脱水槽３に固定させるための係止部１０１を有している。
【００２４】
図６は本実施例の槽洗浄補助具１００を洗濯兼脱水槽３に取り付けた状態を示す図である。付属品を洗濯兼脱水槽３の中に下を開口する形で取り付けることにより、給水の時には槽洗浄用の付属品の中には空気が入っているので水がほとんど入らないために、この分の使用水量を軽減できる。例えば、水量削減の付属品の内容積が４０Ｌで、洗濯兼脱水槽３に満水まで水をためると７０Ｌだったとすると、７０Ｌを洗いとすすぎ２回で計２１０Ｌ必要となるところ、約９０Ｌで槽洗浄を実行できる。また、開口のある略円筒状にすることで槽洗浄に使用しないときには洗濯物などの一時収容などにも使用可能である。また、槽洗浄の時には槽洗浄剤の中に水没されて一緒に洗浄されるため、清潔な状態で使用し続けることができる。
【００２５】
以上、本実施例によれば、槽洗浄コースで槽洗浄を行うときに水量削減用の付属品を取り付けることで、槽洗浄時の使用水量を削減でき、付属品も通常使用時の洗濯物の一時保管などにも使用でき、使用者の使い勝手を向上できる。  
【符号の説明】
【００２６】
１  全自動洗濯機の本体
２  外槽
３  洗濯兼脱水槽
４  撹拌翼
５  メインモータ
６  排水弁
７  排水管
８  排水口
９  排水弁駆動用モータ
１０  制御基板
１１  クラッチ機構
１２  給水弁
１３  ソフト仕上げ剤弁
１４  操作パネル
１５  給水ホース
１００  槽洗浄補助具
１０１  槽洗浄補助具の係止部
１０２  洗濯兼脱水槽の係止部
【図１】
2016022285.tif 000003
【図２】
2016022285.tif 000004
【図３】
2016022285.tif 000005
【図４】
2016022285.tif 000006
【図５】
2016022285.tif 000007
【図６】
2016022285.tif 000008